(57)【特許請求の範囲】
【請求項１】
前面枠の前面下部に設けられる下部球受皿をパチンコ球が貯留される球皿部と灰皿とから構成し、前記球皿部から所定の間隔を離して前記前面枠の前面に前方へほぼ水平状に突出する支持片を設け、
前記灰皿は、受枠台と該受枠台の上面に被着される灰皿本体とからなり、前記受枠台の横方向でその一側の内側壁と該内側壁上端の連結片部により一体に形成される外側壁との間に下面が開放し前記支持片が介入する間隙を形成し、前記一側の内側壁の前寄り上端と他側の外側壁の前寄り上端とに軸孔を設け、
前記支持片を前記間隙内に介入させると共に該支持片の先端内側の支持軸を前記一側の軸孔に嵌合し、前記球皿部側の支持軸を前記他側の外側壁の軸孔に嵌合し、前記受枠台の上面に前記灰皿本体を被せて合体することにより、前記灰皿がその後部を前記前面枠の前面下部に設けられる装飾板の前面に張設したストッパ片で受け止められて前記支持片と前記球皿部の一側端部との間に軸装されるようにしたことを特徴とするパチンコ機における下部球受皿の灰皿取付構造。
【発明の詳細な説明】
【０００１】
【産業上の利用分野】
本発明は、パチンコ機前面枠の前面下部に装着される下部球受皿の灰皿取付構造に関するものである。
【０００２】
【従来の技術】
従来、パチンコ機における前面枠の前面下部には灰皿が装着されるが、該灰皿は通常下部球受皿に装備されていた。すなわち、下部球受皿はパチンコ球を貯留するための球皿部の一側に切欠凹部を介して球皿部と一体に形成される支持端部を設けて構成されており、灰皿は前記切欠凹部内に配置され、その両側を球皿部と支持端部とにそれぞれ軸支するようにしていた。
【０００３】
【発明が解決しようとする課題】
このように、この種の下部球受皿は球皿部の一側に切欠凹部を介して支持端部が一体に設けられていることから、構造的に複雑となり、またその分金型も大型化されるので、金型費がかなり嵩むといった課題があった。
また、支持端部が設けられていることから、スペースの関係上、前記切欠凹部の横幅が広くとれず、このため必然的に灰皿は小型化され、遊技中のタバコの吸殻や灰がたちまち一杯になって、ともすれば溢れ出た吸殻や灰が床面に零れてホールの美観を損ねるといった課題が有った。
【０００４】
更に、近時パチンコ機は一度に多くの景品球を払い出す機種が多く、これらパチンコ機には所要容積の大きい球皿部が必要になるところ、前記灰皿、更には支持端部が設けられている関係上大きさに制約を受け、この課題を解決するに苦慮していた。
そこで、本発明は上記課題を解決すべくなされたもので、下部球受皿の金型費を安くでき、しかも灰皿や球皿部を従来のものより広く形成することができるようにしたパチンコ機における下部球受皿の灰皿取付構造を提供することを目的とする。
【０００５】
【課題を解決するための手段】
かかる目的を達成するため、本発明に係るパチンコ機における下部球受皿の灰皿取付構造は、前面枠の前面下部に設けられる下部球受皿をパチンコ球が貯留される球皿部と灰皿とから構成し、前記球皿部から所定の間隔を離して前記前面枠の前面に前方へほぼ水平状に突出する支持片を設け、前記灰皿は、受枠台と該受枠台の上面に被着される灰皿本体とからなり、前記受枠台の横方向でその一側の内側壁と該内側壁上端の連結片部により一体に形成される外側壁との間に下面が開放し前記支持片が介入する間隙を形成し、前記一側の内側壁の前寄り上端と他側の外側壁の前寄り上端とに軸孔を設け、前記支持片を前記間隙内に介入させると共に該支持片の先端内側の支持軸を前記一側の軸孔に嵌合し、前記球皿部側の支持軸を前記他側の外側壁の軸孔に嵌合し、前記受枠台の上面に前記灰皿本体を被せて合体することにより、前記灰皿がその後部を前記前面枠の前面下部に設けられる装飾板の前面に張設したストッパ片で受け止められて前記支持片と前記球皿部の一側端部との間に軸装されるようにした構成からなる。
【０００６】
【作用】
本発明の灰皿取付構造は、前面枠の前面下部に設けられる下部球受皿をパチンコ球が貯留される球皿部と灰皿とから構成し、前面枠の前面に球皿部から所定の間隔を離してほぼ水平状の支持片を前方へ突設し、該支持片と球皿部の一側端部との間に灰皿を軸装したので、下部球受皿が従来のものに比べ構造的に簡素化されコンパクトに形成される。また、従来の支持端部が無くなることから、その分灰皿及び球皿部を広く形成することができる。
【０００７】
【実施例】
以下に本発明に係るパチンコ機における下部球受皿の灰皿取付構造の一実施例を図面と共に説明する。図１はパチンコ機の正面図である。図において１は機枠、２は機枠１の前面に開閉自在に装着される前面枠で、その前面にはガラス扉枠３と打球供給皿４が装着される前板５が開閉自在に装着されている。また、前記ガラス扉枠３の後側には遊技盤６が配設される。
そして、前記、前面枠２の前面下部には装飾板７が貼着され、該装飾板７の前面下部に下部球受皿８が装着されている。９は装飾板７の一側に設けられる操作ハンドルである。
【０００８】
しかして、図２に示されるように下部球受皿８は球皿部１０と灰皿１１とから構成される。
球皿部１０は、該球皿部１０の本体をなす皿台１２上に球の収容部１３を形成した皿カバー１４が設けられている。また、球皿部１０の一側端部は垂直面１０ａに形成されており、その前寄り位置には灰皿１１を軸支する支持軸１５が突出されている。
【０００９】
そして、球皿部１０の垂直面１０ａから側方へ所定の間隔を離した位置、本実施例では前面枠２の一側端寄り位置で装飾板７の前面からほぼ水平状の支持片１６を前方へ突出させている。支持片１６の先端内側には前記支持軸１５と対向して支持軸１７が突設されている。また、支持片１６の基端側に折曲した取付片部１６ａが一体に設けられ、該取付片部１６ａは装飾板７に開設された通孔１８から装飾板７の裏面に挿入され、ビス１９，１９でねじ止めされる。２０は球皿部１０の垂直面１０ａと支持片１６との間で、垂直面１０ａ寄りの装飾板７前面に水平に張設したストッパ片であり、これにより灰皿１１の下面を支持するようにしている。
【００１０】
灰皿１１は、図２に分解して示すように受枠台１１ａと、該受枠台１１ａの上面に被着され一体を成す灰皿本体１１ｂからなっている。
受枠台１１ａは底板２１の横方向で一側に内側壁２２ａと外側壁２２ｂが立設されると共に他側に外側壁２３が立設されている。前記内側壁２２ａと外側壁２２ｂとの間には前記支持片１６が介入する下面が開放した間隙２４が形成されている。さらに、この内側壁２２ａと外側壁２２ｂの奥半部分は上部が高く突出されると共に、これら上端間は連結片部２５により一体に形成されている。
【００１１】
また、図５に示すように内側壁２２ａのほぼ中央に切放し部２６が設けられると共に、この切放し部２６を囲うように内側壁２２ａの内側へ突出する囲い壁２７が設けられ、囲い壁２７によってその内側に通口２８が形成される。さらに内側壁２２ａの前寄り上端に軸孔２９が設けられ、また、外側壁２３の前寄り上端にも軸孔３０が設けられている。３１，３１は底板２１の左右両側位置に設けられたビス孔である。
【００１２】
灰皿本体１１ｂはその上面にタバコの吸がらを貯める凹部３２が形成され、また該凹部３２の左右両側の立壁３３，３３は図６に示すように肉厚に形成されており、その下面に受枠台１１ａ下面のビス孔３１，３１から挿通されるビス３４，３４を螺止させるようにしている。更に、立壁３３，３３の上端縁に受枠台１１ａの外側壁２２ｂと外側壁２３との各外側に被さる外壁３５，３５が延設されている。
【００１３】
次に、前記灰皿１１の組み付け順序を説明する。
まず、装飾板７に取り付けられた支持片１６を受枠台１１ａの一側に設けた間隙２４内に介入させると共に、図３に示すように通口２８に支持軸１７を挿通し、この支持軸１７を内側壁２２ａ上に臨ませた状態で、受枠台１１ａを奥へ押し込み、図４のように支持軸１７を軸孔２９に嵌合させる。同様に、図５に示すように他方の軸孔３０にも支持軸１５を嵌合させる。
【００１４】
次に、図６に示すように受枠台１１ａの上面に灰皿本体１１ｂを被せてビス孔３１，３１から挿通したビス３４，３４を立壁３３，３３に螺止させることで受枠台１１ａと灰皿本体１１ｂとが合体され灰皿１１が組み付けられる。そして、図７に示すように該灰皿１１は後部下面をストッパ片２０で受け止められ支持軸１５，１７を支点にして前後方向へ回動自在に軸装される。
【００１５】
このように組み付けられた灰皿１１は図８に矢示するように、支持軸１５，１７を支点にして実線位置から鎖線位置に回動し、これにより凹部３２にたまっている吸殻や灰を除去することができる。また、この際図８鎖線位置に回動した灰皿１１は所定の角度回動した位置で、その先端部１１ｃがストッパ片２０に衝止して、必要以上に回動することはなく、吸殻や灰を取り出し易くしている。
【００１６】
【発明の効果】
以上述べたように本発明のパチンコ機における下部球受皿の灰皿取付構造は、前面枠の前面に球皿部から所定の間隔を離してほぼ水平状の支持片を前方へ突設し、該支持片と球皿部との間に、前記支持片が灰皿一側の内側壁と外側壁との間に形成された間隙に介入するようにして、灰皿を軸装するようにしたので、従来の如き灰皿外側の支持端部が不要になり、この分下部球受皿が構造的に簡素化されかつコンパクトに形成されて金型費、引いては製造コストを低廉になし得る。
【００１７】
また、前記支持片を前面枠の外側端寄りに突設するようにすれば、灰皿及び球皿部を広く形成することができ、灰皿では吸殻又は灰が飛び散ってまわりを汚しホールの美観を損ねるといったこともなくなる。また、球皿部の収容量が増加するので、一度に大量の景品球を払い出すようなパチンコ機に最適である等の効果を有する。
【図面の簡単な説明】
【図１】  パチンコ機の正面図。
【図２】  要部の分解斜視図。
【図３】  支持片に受枠台を取り付ける過程を示す斜視図。
【図４】  支持片に受枠台を取り付けた状態の斜視図。
【図５】  同上平面図。
【図６】  灰皿の組み付けを完了した状態を示す正面断面図。
【図７】  同上側面図。
【図８】  灰皿の作用を示す側面断面図。
【符号の説明】
２        前面枠
８        下部球受皿
１０      球皿部
１１      灰皿
１１ａ    受枠台
１１ｂ    灰皿本体
１６      支持片
１７      支持軸
２０      ストッパ片
２２ａ    内側壁
２２ｂ    外側壁
２３      外側壁
２４      間隙
２５      連続片部
２９      軸孔
３０      軸孔
【図１】
0003971806.tif 000002
【図２】
0003971806.tif 000003
【図３】
0003971806.tif 000004
【図４】
0003971806.tif 000005
【図５】
0003971806.tif 000006
【図６】
0003971806.tif 000007
【図７】
0003971806.tif 000008
【図８】
0003971806.tif 000009